(57)【要約】【課題】  取引の正当性をより適切に判定可能とする。【解決手段】  ＩＣキャッシュカード２に口座番号を書き込む際に、当該ＩＣキャッシュカード２の固有情報であるカード固有情報を取得し（ステップＳ１０１）、取得したカード固有情報と口座番号とを対応付けて管理サーバ４に記憶させる（ステップＳ１０２）。【選択図】  図７
2013105437.tif 000002
【特許請求の範囲】
【請求項１】
設定した設定情報をＩＣカードに書き込んで、ＩＣカードを発行するカード発行システムであって、
ＩＣカードに前記設定情報を書き込む際に、当該ＩＣカードの固有情報であるカード固有情報を取得する固有情報取得端末と、
前記固有情報取得端末が取得した前記カード固有情報と前記設定情報とを対応付けて記憶する管理サーバとを備えたことを特徴とするカード発行システム。
【請求項２】
前記固有情報取得端末は、
ＩＣカードから前記カード固有情報を読み出す固有情報読出部と、
ＩＣカードに書き込む前記設定情報を取得する設定情報取得部と、
前記固有情報読出部が読み出した前記カード固有情報と前記設定情報取得部が取得した前記設定情報とを前記管理サーバに送信する情報送信部と、
前記管理サーバからＩＣカードの発行を許可する発行許可指示が送信されると、前記設定情報取得部が取得した前記設定情報をＩＣカードに書き込むカード発行部とを備え、
前記管理サーバは、
前記固有情報取得端末から送信された前記カード固有情報と前記設定情報とを対応付けて記憶するサーバ記憶部と、
前記サーバ記憶部が前記カード固有情報と前記設定情報とを対応付けて記憶すると、前記発行許可指示を前記固有情報取得端末に送信するサーバ送信部とを備えることを特徴とする請求項１に記載のカード発行システム。
【請求項３】
前記固有情報取得端末は、ＩＣカードの再発行要求を入力可能な要求入力部を備え、
前記情報送信部は、前記要求入力部で前記再発行要求が入力された場合には、入力された前記再発行要求を前記固有情報読出部が読み出した前記カード固有情報と前記設定情報取得部が取得した前記設定情報とともに前記管理サーバに送信し、
前記管理サーバは、前記固有情報取得端末から前記再発行要求が送信された場合には、前記固有情報取得端末から送信された前記設定情報と対応付けて前記サーバ記憶部に記憶されている前記カード固有情報を、前記固有情報取得端末から送信された前記カード固有情報で書き換える固有情報書換部を備え、
前記サーバ送信部は、前記固有情報書換部が前記カード固有情報を書き換えると、前記発行許可指示を前記固有情報取得端末に送信することを特徴とする請求項２に記載のカード発行システム。
【請求項４】
設定した設定情報をＩＣカードに書き込んで、ＩＣカードを発行するカード発行機であって、
ＩＣカードに設定情報を書き込む際に、当該ＩＣカードの固有情報であるカード固有情報を取得し、取得した前記カード固有情報と前記設定情報とを対応付けて管理サーバに記憶させることを特徴とするカード発行機。
【請求項５】
設定した設定情報をＩＣカードに書き込んで、ＩＣカードを発行するカード発行方法であって、
ＩＣカードに前記設定情報を書き込む際に、当該ＩＣカードの固有情報であるカード固有情報を取得し、取得した前記カード固有情報と前記設定情報とを対応付けて管理サーバに記憶させることを特徴とするカード発行方法。
【発明の詳細な説明】
【技術分野】
【０００１】
本発明は、金融機関等が口座保有者にＩＣキャッシュカード等を発行するためのカード発行システム、カード発行機、およびカード発行方法に関するものである。
【背景技術】
【０００２】
従来、カード発行システムとしては、例えば、特許文献１に記載の従来技術がある。
この従来技術では、カード発行機が、金融機関の職員に口座番号と暗証番号との入力を促し、管理サーバが、入力された口座番号と暗証番号とを対応付けて記憶する。続いて、管理サーバが、口座番号と暗証番号とを記憶すると、カード発行機が、口座番号をＩＣキャッシュカードに書き込み、ＩＣキャッシュカードを発行する。
【先行技術文献】
【特許文献】
【０００３】
【特許文献１】特開２００７−８７０７９号公報
【発明の概要】
【発明が解決しようとする課題】
【０００４】
しかしながら、上記従来技術では、管理サーバが、ＩＣキャッシュカードの口座番号と暗証番号とを対応付けて記憶していた。それゆえ、例えば、ＩＣキャッシュカードの使用時には、現金自動預払機が、ＩＣキャッシュカードから口座番号を読み出し、口座保持者に暗証番号の入力を促し、管理サーバが、読み出した口座番号および入力された暗証番号を、記憶している口座番号および暗証番号と照合することで、ＩＣキャッシュカードによる取引の正当性を担保していた。そのため、同一の口座番号で誤って別のＩＣキャッシュカード（不正カード）が発行された場合、不正カードが使用され、適切な暗証番号が入力されると、管理サーバが、不正カードの口座番号および入力された暗証番号が、記憶している口座番号および暗証番号と一致すると判定する可能性がある。そのため、正当な取引であると誤判定する可能性があった。
本発明は、上記のような点に着目し、ＩＣカードの正当性をより適切に判定可能とすることを課題とする。
【課題を解決するための手段】
【０００５】
本発明のカード発行システムの一態様は、
設定した設定情報をＩＣカードに書き込んで、ＩＣカードを発行するカード発行システムであって、ＩＣカードに前記設定情報を書き込む際に、当該ＩＣカードの固有情報であるカード固有情報を取得する固有情報取得端末と、前記固有情報取得端末が取得した前記カード固有情報と前記設定情報とを対応付けて記憶する管理サーバとを備えたことを特徴とする。
【０００６】
本発明のカード発行システムの他の態様は、前記固有情報取得端末は、ＩＣカードから前記カード固有情報を読み出す固有情報読出部と、ＩＣカードに書き込む前記設定情報を取得する設定情報取得部と、前記固有情報読出部が読み出した前記カード固有情報と前記設定情報取得部が取得した前記設定情報とを前記管理サーバに送信する情報送信部と、前記管理サーバからＩＣカードの発行を許可する発行許可指示が送信されると、前記設定情報取得部が取得した前記設定情報をＩＣカードに書き込むカード発行部とを備え、前記管理サーバは、前記固有情報取得端末から送信された前記カード固有情報と前記設定情報とを対応付けて記憶するサーバ記憶部と、前記サーバ記憶部が前記カード固有情報と前記設定情報とを対応付けて記憶すると、前記発行許可指示を前記固有情報取得端末に送信するサーバ送信部とを備えることを特徴とする。
【０００７】
本発明の固有情報取得端末の一態様は、
設定した設定情報をＩＣカードに書き込んで、ＩＣカードを発行するカード発行機であって、ＩＣカードに設定情報を書き込む際に、当該ＩＣカードの固有情報であるカード固有情報を取得し、取得した前記カード固有情報と前記設定情報とを対応付けて管理サーバに記憶させることを特徴とする。
【０００８】
本発明のカード発行方法の一態様は、設定した設定情報をＩＣカードに書き込んで、ＩＣカードを発行するカード発行方法であって、ＩＣカードに前記設定情報を書き込む際に、当該ＩＣカードの固有情報であるカード固有情報を取得し、取得した前記カード固有情報と前記設定情報とを対応付けて管理サーバに記憶させることを特徴とする。
このような構成によれば、管理サーバが、ＩＣカードに記憶されているカード固有情報と設定情報とを対応付けて記憶する。それゆえ、例えば、ＩＣカードの使用時には、ＩＣカード内のカード固有情報および設定情報を、管理サーバが記憶しているカード固有情報および設定情報と照合することで、ＩＣカードの正当性を判定することができる。
【０００９】
本発明のカード発行システムの他の態様は、
前記固有情報取得端末は、ＩＣカードの再発行要求を入力可能な要求入力部を備え、前記情報送信部は、前記要求入力部で前記再発行要求が入力された場合には、入力された前記再発行要求を前記固有情報読出部が読み出した前記カード固有情報と前記設定情報取得部が取得した前記設定情報とともに前記管理サーバに送信し、前記管理サーバは、前記固有情報取得端末から前記再発行要求が送信された場合には、前記固有情報取得端末から送信された前記設定情報と対応付けて前記サーバ記憶部に記憶されている前記カード固有情報を、前記固有情報取得端末から送信された前記カード固有情報で書き換える固有情報書換部を備え、前記サーバ送信部は、前記固有情報書換部が前記カード固有情報を書き換えると、前記発行許可指示を前記固有情報取得端末に送信することを特徴とする。
【００１０】
このような構成によれば、例えば、再発行要求が入力された場合に、管理サーバが、設定情報取得部が取得した設定情報に対応付けて記憶しているカード固有情報を書き換える。すなわち、管理サーバが、既に記憶されていたカード固有情報を消去し、新しいＩＣカードのカード固有情報を記憶する。それゆえ、管理サーバが、１つの設定情報に複数のカード固有情報を対応付けて記憶することを防止できる。そのため、例えば、１つの設定情報に対して、複数のＩＣカードが発行されることを防止できる。
【発明の効果】
【００１１】
本発明によれば、管理サーバが、ＩＣカードに記憶されているカード固有情報と設定情報とを対応付けて記憶する。それゆえ、例えば、ＩＣカードの使用時には、ＩＣカード内のカード固有情報および設定情報を、管理サーバが記憶しているカード固有情報および設定情報と照合することで、ＩＣカードの正当性を判定することができる。
【図面の簡単な説明】
【００１２】
【図１】カード管理システム１の概略構成を示す概念図である。
【図２】ＩＣキャッシュカード２の概略構成を表すブロック図である。
【図３】カード発行機３の概略構成を表すブロック図である。
【図４】管理サーバ４の概略構成を表すブロック図である。
【図５】カード管理データベースの概要を説明するための図である。
【図６】現金自動預払機５の概略構成を表すブロック図である。
【図７】カード発行処理を表すフローチャートである。
【図８】カード登録処理を表すフローチャートである。
【図９】正当性確認処理を表すフローチャートである。
【図１０】カード検索処理を表すフローチャートである。
【図１１】金融機関の職員、カード発行機３、および管理サーバ４の動作を示すシーケンス図である。
【図１２】ＩＣキャッシュカード２を新規発行する場合のＩＣキャッシュカード２、カード発行機３、および管理サーバ４における情報の流れを示す図である。
【図１３】金融機関の職員、カード発行機３、および管理サーバ４の動作を示すシーケンス図である。
【図１４】ＩＣキャッシュカード２を再発行する場合のＩＣキャッシュカード２、カード発行機３、および管理サーバ４における情報の流れを示す図である。
【図１５】金融機関の職員、カード発行機３、および管理サーバ４の動作を示すシーケンス図である。
【図１６】預金者、現金自動預払機５、および管理サーバ４の動作を示すシーケンス図である。
【図１７】現金自動預払機５を操作する場合の現金自動預払機５、カード発行機３、および管理サーバ４における情報の流れを示す図である。
【図１８】預金者、現金自動預払機５、および管理サーバ４の動作を示すシーケンス図である。
【図１９】現金自動預払機５を操作する場合の現金自動預払機５、カード発行機３、および管理サーバ４における情報の流れを示す図である。
【発明を実施するための形態】
【００１３】
以下、本発明の実施形態を図面に基づき説明する。
本実施形態は、本発明を、ＩＣキャッシュカード２の管理システム（以下、カード管理システム１とも呼ぶ）に適用したものである。ＩＣキャッシュカード２とは、金融機関が預金者に発行し預金者が現金自動預払機５を操作するためのカードである。
（構成）
図１は、カード管理システム１の概略構成を示す概念図である。
図１に示すように、カード管理システム１は、ＩＣキャッシュカード２、カード発行機３、管理サーバ４、および現金自動預払機５を備える。カード発行機３と管理サーバとの間、および現金自動預払機５と管理サーバ４との間は、通信網６を介して、互いに通信を行うことが可能となっている。
なお、本実施形態では、説明を容易にするため、ＩＣキャッシュカード２、カード発行機３、および現金自動預払機５のそれぞれを１つずつ備える構成とする。
【００１４】
図２は、ＩＣキャッシュカード２の概略構成を表すブロック図である。
図２に示すように、ＩＣキャッシュカード２は、ＩＣチップ７を備える。ＩＣチップ７は、通信部８、固有情報記憶部９、口座番号記憶部１０、およびチップ制御部１１を有する。
通信部８は、カード発行機３の後述するカード受付部１３、または現金自動預払機５の後述するカード受付部２２と通信可能となっている。通信部８としては、例えば、カード発行機３のカード受付部１３または現金自動預払機５のカード受付部２２と直接接触して通信を行う接触通信、または無線で通信を行う非接触通信を採用できる。
【００１５】
固有情報記憶部９は、チップ制御部１１が実行する制御プログラム、およびＩＣキャッシュカード２を特定可能なカード固有情報を記憶する。カード固有情報とは、ＩＣキャッシュカード２毎に設定されるユニーク（一意）な情報である。固有情報記憶部９への制御プログラムおよびカード固有情報の書き込みは、ＩＣキャッシュカード２の製造時に行う。カード固有情報としては、例えば、ＥＭＶ規格が規定するＣＰＬＣ(Card Production Life Cycle History File Identifier)等を採用できる。また、固有情報記憶部９としては、例えば、記憶内容を書き換え不能なＲＯＭ(Read Only Memory)を採用できる。
【００１６】
口座番号記憶部１０は、ＩＣキャッシュカード２の発行時に付与される口座番号を記憶可能となっている。口座番号とは、預金者の口座を識別するために口座毎に設定されるユニークな番号である。口座番号記憶部１０への口座番号の書き込みは、チップ制御部１１が制御プログラムの実行時に行う。口座番号記憶部１０としては、例えば、記憶内容を書き換え可能なＥＥＰＲＯＭ (Electrically Erasable Programmable ROM)を採用できる。
【００１７】
チップ制御部１１は、通信部８がカード発行機３および現金自動預払機５から受信した各種信号および情報に基づき、固有情報記憶部９が記憶する制御プログラムに従ってＩＣチップ７内の各部を制御する。具体的には、チップ制御部１１は、通信部８がカード発行機３から固有情報要求信号を受信した場合には、通信部８を介して、固有情報記憶部９に記憶されているカード固有情報を当該カード発行機３に送信する。固有情報要求信号とは、カード固有情報の送信を要求する信号である。また、チップ制御部１１は、通信部８がカード発行機３から口座番号を受信した場合には、受信した口座番号を口座番号記憶部１０に書き込む。さらに、チップ制御部１１は、通信部８が現金自動預払機５から情報要求信号を受信した場合には、通信部８を介して、固有情報記憶部９に記憶されているカード固有情報、および口座番号記憶部１０に記憶されている口座番号を現金自動預払機５に送信する。情報要求信号とは、カード固有情報および口座番号の送信を要求する信号である。チップ制御部１１としては、例えばＣＰＵ(Central Processing Unit)を採用できる。
【００１８】
カード発行機３は、金融機関の店舗等に設置されている。
図３は、カード発行機３の概略構成を表すブロック図である。
図３に示すように、カード発行機３は、通信部１２、カード受付部１３、固有情報読出部１４、操作部１５、発行機記憶部１６、および発行機制御部１７を備える。
通信部１２は、通信網６を介して、管理サーバ４の後述する通信部２１と通信可能となっている。
カード受付部１３は、ＩＣキャッシュカード２を挿入可能となっている。そして、カード受付部１３は、ＩＣキャッシュカード２が挿入された場合に、ＩＣチップ７の通信部８と通信可能となっている。また、カード受付部１３は、通信部２１が管理サーバ４から発行不許可信号を受信した場合に、挿入されているＩＣキャッシュカード２を、ＩＣキャッシュカードを回収するための図示しないリジェクトホッパーに排出する。発行不許可信号とは、ＩＣキャッシュカード２の発行を許可しないことを表す信号である。
【００１９】
固有情報読出部１４は、カード受付部１３を介して、ＩＣチップ７の固有情報記憶部９からカード固有情報を読み出す。具体的には、固有情報読出部１４は、カード受付部１３を介して、固有情報要求信号をＩＣチップ７に送信し、固有情報要求信号を受信したＩＣチップ７から送信されるカード固有情報を受信する。続いて、固有情報読出部１４は、読み出したカード固有情報を発行機制御部１７に出力する。
【００２０】
操作部１５は、ユーザである金融機関の職員がログインＩＤ、口座番号、および発行種別を入力可能となっている。発行種別とは、口座開設後最初に発行するＩＣキャッシュカード（新規に発行するＩＣキャッシュカード２）であるか否かを表す情報である。発行種別としては、新規に発行するＩＣキャッシュカードであることを表す「新規」、および新規に発行するＩＣキャッシュカードではない（再発行である）ことを表す「再発行」がある。これにより、ユーザは、発行種別として「再発行」を入力することで、ＩＣキャッシュカード２の再発行要求を入力可能となっている。操作部１５としては、例えば、ユーザにログインＩＤ、口座番号、発行種別を入力させるためのキーボードがある。そして、操作部１５は、ユーザがログインＩＤ、口座番号、発行種別を入力した場合に、入力したログインＩＤ、口座番号、発行種別を発行機制御部１７に出力する。
なお、本実施形態では、ユーザが口座番号を入力する例を示したが、他の構成を採用することもできる。例えば、発行機制御部１７が、後述するカード管理データベースに登録されている口座番号と重複のない口座番号を適宜作成する構成としてもよい。
【００２１】
発行機記憶部１６は、発行機制御部１７が実行する制御プログラム、および予め設定した発行機固有情報を記憶する。発行機固有情報とは、カード発行機３毎に設定したユニークな情報である。発行機記憶部１６への制御プログラムおよび発行機固有情報の書き込みはカード発行機の設定時に行う。発行機情報としては、例えば、発行機番号がある。発行機記憶部１６としては、例えば、記憶内容を書き換え可能なＥＥＰＲＯＭを採用できる。
発行機制御部１７は、固有情報読出部１４が出力するカード固有情報、操作部１５が出力するログインＩＤ、口座番号および発行種別、並びに通信部１２が管理サーバ４から受信した各種信号および情報および信号に基づき、発行機記憶部１６が記憶する制御プログラムに従ってカード発行機３内の各部を制御する。具体的には、発行機制御部１７は、ＩＣキャッシュカード２を発行するための後述するカード発行処理を実行する。発行機制御部１７としては、例えば、ＣＰＵを採用できる。
【００２２】
管理サーバ４は、金融機関の本部等に設置されている。
図４は、管理サーバ４の概略構成を表すブロック図である。
図４に示すように、通信部１８、サーバ記憶部１９およびサーバ制御部２０を備える。
通信部１８は、通信網６を介して、カード発行機３の通信部１２、または現金自動預払機５の預払機制御部２５と通信可能となっている。
【００２３】
図５は、カード管理データベースの概要を説明するための図である。
サーバ記憶部１９は、サーバ制御部２０が実行する制御プログラム、およびＩＣキャッシュカード２を管理するためのカード管理データベースを記憶する。カード管理データベースは、図５に示すように、発行済のＩＣキャッシュカード２毎に設けたレコードから構成される。各レコードは、ＩＣキャッシュカード２（ＩＣチップ７）が記憶する口座番号、ＩＣキャッシュカード２が記憶するカード固有情報、ＩＣキャッシュカード２の発行時に使用したログインＩＤ、発行機番号、およびＩＣキャッシュカード２の発行時刻をフィールドとして有する。サーバ記憶部１９としては、例えば、記憶内容を書き換え可能なＨＤＤを採用できる。
【００２４】
サーバ制御部２０は、通信部１８がカード発行機３から受信した各種信号および情報、並びに通信部１８が現金自動預払機５から受信した各種信号および情報に基づき、サーバ記憶部１９が記憶する制御プログラムに従って管理サーバ４内の各部を制御する。具体的には、発行機制御部１７は、ＩＣキャッシュカード２に書き込む口座番号およびカード固有情報をカード管理データベースに登録するための後述するカード登録処理、およびカード管理データベースからＩＣキャッシュカード２に記憶されている口座番号およびカード情報に対応するレコードを検索するための後述するカード検索処理を実行する。発行機制御部１７としては、例えば、ＣＰＵを採用できる。
【００２５】
現金自動預払機５は、金融機関の店舗等に設置されている。
図６は、現金自動預払機５の概略構成を表すブロック図である。
図６に示すように、現金自動預払機５は、通信部２１、カード受付部２２、情報読出部２３、預払機記憶部２４、および預払機制御部２５を備える。
通信部２１は、通信網６を介して、管理サーバ４の通信部２１と通信可能となっている。
カード受付部２２は、ＩＣキャッシュカード２を挿入可能となっている。そして、カード受付部２２は、ＩＣキャッシュカード２が挿入された場合に、ＩＣチップ７の通信部８と通信可能となっている。
【００２６】
情報読出部２３は、カード受付部２２を介して、ＩＣチップ７の固有情報記憶部９からカード固有情報を読み出す。続いて、情報読出部２３は、カード受付部２２を介して、ＩＣチップ７の口座番号記憶部１０から口座番号を読み出す。具体的には、情報読出部２３は、カード受付部２２を介して、情報要求信号をＩＣチップ７に送信し、情報要求信号を受信したＩＣチップ７から送信されるカード固有情報および口座番号を受信する。続いて、情報読出部２３は、読み出したカード固有情報および口座番号を預払機制御部２５に出力する。
【００２７】
預払機記憶部２４は、預払機制御部２５が実行する制御プログラムを記憶する。預払機記憶部２４としては、例えば、記憶内容を書き換え可能なＥＥＰＲＯＭを採用できる。
預払機制御部２５は、情報読出部２３が出力するカード固有情報および口座番号、および通信部２１が管理サーバ４から受信した各種信号および情報に基づき、預払機記憶部２４が記憶する制御プログラムに従ってカード発行機３内の各部を制御する。具体的には、預払機制御部２５は、ＩＣキャッシュカード２の正当性を確認（ＩＣキャッシュカード２が不正に作成されたものではないことを確認）するための後述する正当性確認処理を実行する。また、預払機制御部２５は、ＩＣキャッシュカード２に記憶されている口座番号に基づき、口座番号が指定する口座における取引処理を実行する。取引処理としては、例えば、口座からの預金引き出し処理、口座への現金の入金処理、および他の口座への振り込み処理がある。預払機制御部２５としては、例えば、ＣＰＵを採用できる。
【００２８】
（演算処理）
次に、カード発行機３の発行機制御部１７が実行するカード発行処理について説明する。カード発行処理とは、ＩＣキャッシュカードを発行するための処理である。
図７は、カード発行処理を表すフローチャートである。
カード発行処理は、ＩＣキャッシュカード２がカード受付部１３に挿入され、固有情報読出部１４がカード固有情報を読み取り、操作部１５にログインＩＤ、口座番号、および発行種別が入力された場合に実行される。
【００２９】
まず、ステップＳ１０１では、発行機制御部１７は、固有情報読出部１４が出力するカード固有情報を取得し、操作部１５が出力するログインＩＤ、口座番号、および発行種別を取得する。続いて、発行機制御部１７は、現在の時刻を取得する。
続いてステップＳ１０２に移行して、発行機制御部１７は、前記ステップＳ１０１で取得したカード固有情報、ログインＩＤ、口座番号、および発行種別と、発行機記憶部１６が記憶している発行機番号とを対応付けて一組のデータ（以下、カード登録用データとも呼ぶ）を生成する。続いて、発行機制御部１７は、通信部１２および通信網６を介して、生成したカード登録用データを管理サーバ４のサーバ制御部２０に送信する。
【００３０】
続いてステップＳ１０３に移行して、発行機制御部１７は、通信部１２および通信網６を介して、管理サーバ４から送信される発行許可判定信号を受信する。発行許可判定信号とは、ＩＣキャッシュカード２の発行を許可するか否かを判定するための信号である。発行許可判定信号としては、ＩＣキャッシュカードの発行を許可することを表す発行許可信号（発行許可指示）、およびＩＣキャッシュカードの発行を許可しないことを表す発行不許可信号（発行不許可指示）がある。なお、発行機制御部１７は、管理サーバ４から発行許可判定信号が送信されていない場合には、発行許可判定信号が送信されるまで待機する。
【００３１】
続いてステップＳ１０４に移行して、発行機制御部１７は、ＩＣキャッシュカード２の発行を許可するか否かを判定する。具体的には、前記ステップＳ１０３で受信した発行許可判定信号が発行許可信号であるか否かを判定する。そして、発行機制御部１７は、発行許可判定信号が発行許可信号であると判定した場合には（Ｙｅｓ）ＩＣキャッシュカード２の発行を許可すると判定し、ステップＳ１０５に移行する。一方、発行機制御部１７は、発行許可判定信号が発行不許可信号であると判定した場合には（Ｎｏ）ＩＣキャッシュカード２の発行を許可しないと判定し、ステップＳ１０６に移行する。
前記ステップＳ１０５では、発行機制御部１７は、カード受付部１３を介して、口座番号をＩＣキャッシュカード２のチップ制御部１１に送信した後、この演算処理を終了する。これにより、チップ制御部１１は、口座番号を口座番号記憶部１０に書き込む。
一方、前記ステップＳ１０６では、発行機制御部１７は、カード受付部１３に対し、ＩＣキャッシュカード２をリジェクトホッパーに排出させる。
【００３２】
次に、管理サーバ４が実行するカード登録処理について説明する。カード登録処理とは、ＩＣキャッシュカード２に書き込む口座番号およびカード固有情報をカード管理データベースに登録するための処理である。
図８は、カード登録処理を表すフローチャートである。
カード登録処理は、カード発行機３からカード登録用データ（カード固有情報、ログインＩＤ、口座番号、発行種別、現在時刻、および発行機情報）が管理サーバ４に送信された場合に実行される処理である。
【００３３】
まず、ステップＳ２０１では、サーバ制御部２０は、通信部１８および通信網６を介して、カード発行機３から送信されたカード登録用データを受信する。
続いてステップＳ２０２に移行して、サーバ制御部２０は、ＩＣキャッシュカード２の再発行要求が送信されたか否かを判定する。具体的には、サーバ制御部２０は、前記ステップＳ２０１で受信したカード登録データに含まれる発行種別が「新規」であるか否かを判定する。そして、サーバ制御部２０は、発行種別が「新規」であると判定した場合には（Ｙｅｓ）ステップＳ２０３に移行する。一方、サーバ制御部２０は、発行種別が「再発行」であると判定した場合には（Ｎｏ）、ＩＣキャッシュカード２の再発行要求が送信されたと判定し、ステップＳ２０６に移行する。
【００３４】
前記ステップＳ２０３では、サーバ制御部２０は、前記ステップＳ２０１で受信したカード登録用データに含まれるカード固有情報、ログインＩＤ、口座番号、発行種別、現在時刻、および発行機情報からカード管理データベースのレコードを１つ形成する。続いて、サーバ制御部２０は、形成したレコードをサーバ記憶部１９に書き込む。これにより、サーバ記憶部１９は、カード管理データベースに新たなレコードを追加・登録する。
続いてステップＳ２０４に移行して、サーバ制御部２０は、通信部１８および通信網６を介して、発行許可信号をカード発行機３に送信した後、この演算処理を終了する。
【００３５】
一方、前記ステップＳ２０５では、サーバ制御部２０は、カード管理データベースを構成する複数のレコードのうちに、前記ステップＳ２０１で受信した口座番号とフィールド「口座番号」のフィールド値が一致するレコード（以下、一致レコードとも呼ぶ）が存在するか否かを判定する。そして、サーバ制御部２０は、一致レコードが存在すると判定した場合には（Ｙｅｓ）ステップＳ２０６に移行する。一方、サーバ制御部２０は、一致レコードが存在しないと判定した場合には（Ｎｏ）ステップＳ２０８に移行する。
【００３６】
前記ステップＳ２０６では、サーバ制御部２０は、前記ステップＳ２０５で存在すると判定した一致レコードのカード固有情報、ログインＩＤ、発行機番号、および発行時刻のフィールドのフィールド値を前記ステップＳ２０１で受信したカード登録用データに含まれるカード固有情報、ログインＩＤ、発行機番号、および発行時刻で書き換える。これにより、サーバ制御部２０は、カード発行機３から再発行要求が送信された場合には、カード発行機３から送信された口座番号と対応付けてサーバ記憶部１９に記憶されているカード固有情報を、カード発行機３から送信されたカード固有情報で書き換える。
【００３７】
続いてステップＳ２０７に移行して、サーバ制御部２０は、通信部２１を介して、発行許可信号をカード発行機３の発行機制御部１７に送信した後、この演算処理を終了する。これにより、発行機制御部１７は、ＩＣキャッシュカード２を発行する。
一方、前記ステップＳ２０８では、サーバ制御部２０は、通信部２１を介して、発行不許可信号をカード発行機３の発行機制御部１７に送信した後、この演算処理を終了する。これにより、発行機制御部１７は、ＩＣキャッシュカード２の発行を止める。
【００３８】
次に、現金自動預払機５の預払機制御部２５が実行する正当性確認処理について説明する。正当性確認処理とは、ＩＣキャッシュカードの正当性を確認するための処理である。
図９は、正当性確認処理を表すフローチャートである。
正当性確認処理は、ＩＣキャッシュカード２がカード受付部２２に挿入され、情報読出部２３がカード固有情報および口座番号を読み取った場合に実行される。
【００３９】
まず、ステップＳ３０１では、預払機制御部２５は、情報読出部２３が出力するカード固有情報および口座番号を取得する。
続いてステップＳ３０２に移行して、預払機制御部２５は、通信部２１および通信網６を介して、前記ステップＳ３０１で取得したカード固有情報および口座番号を管理サーバ４のサーバ制御部２０に送信する。
【００４０】
続いてステップＳ３０３に移行して、預払機制御部２５は、通信部２１および通信網６を介して、管理サーバ４から送信される取引許可判定信号を受信する。取引許可判定信号とは、取引処理の実施を許可するか否かを判定するための信号である。取引許可判定信号としては、取引処理の実施を許可することを表す取引許可信号（取引許可指示）、および取引処理の実施を許可しないことを表す取引不許可信号（取引不許可指示）がある。なお、預払機制御部２５は、管理サーバ４から取引許可判定信号が送信されていない場合には、取引許可信号が送信されるまで待機する。
【００４１】
続いてステップＳ３０４に移行して、預払機制御部２５は、取引処理の実施を許可するか否かを判定する。具体的には、預払機制御部２５は、前記ステップＳ３０３で受信した取引許可判定信号が取引許可信号であるか否かを判定する。そして、預払機制御部２５は、取引許可判定信号が取引許可信号であると判定した場合には（Ｙｅｓ）、取引処理の実施を許可すると判定し、ステップＳ３０５に移行する。一方、預払機制御部２５は、取引許可判定信号が取引不許可信号であると判定した場合には（Ｎｏ）、取引処理の実施を許可しないと判定し、ステップＳ３０６に移行する。
前記ステップＳ３０５では、預払機制御部２５は、前記ステップＳ３０１で取得した口座番号が指定する口座における取引処理を実行した後、この演算処理を終了する。
【００４２】
一方、前記ステップＳ３０６では、預払機制御部２５は、前記ステップＳ３０１で取得した口座番号に対応する口座における取引処理の実行を禁止する。
続いてステップＳ３０７に移行して、預払機制御部２５は、通信部２１および通信網６を介してログ登録信号を管理サーバ４に送信した後、この演算処理を終了する。ログ登録信号とは、前記ステップＳ３０１で管理サーバ４に送信したカード固有情報を管理サーバ４に不正ログとして登録させるための信号である。これにより、管理サーバ４は、不正ログとして、正当性が確認できないＩＣキャッシュカード２のカード固有情報を記憶する。
【００４３】
次に、管理サーバ４のサーバ制御部２０が実行するカード検索処理について説明する。カード検索処理とは、カード管理データベースからＩＣキャッシュカード２に記憶されている口座番号およびカード情報に対応するレコードを検索するための処理である。
図１０は、カード検索処理を表すフローチャートである。
カード検索処理は、現金自動預払機５からカード固有情報および口座番号が管理サーバ４に送信された場合に実行される。
【００４４】
まず、ステップＳ４０１では、サーバ制御部２０は、通信部１８および通信網６を介して、現金自動預払機５からカード固有情報および口座番号を受信する。
続いてステップＳ４０２に移行して、サーバ制御部２０は、カード管理データベースを構成する複数のレコードのうちから、前記ステップＳ４０１で受信した口座番号とフィールド「口座番号」のフィールド値が一致するレコードを検索する。
【００４５】
続いてステップＳ４０３に移行して、サーバ制御部２０は、現金自動預払機５から送信されたカード固有情報および口座番号をサーバ記憶部１９が記憶しているカード固有情報および口座番号と照合する。具体的には、サーバ制御部２０は、現金自動預払機５から送信されたカード固有情報および口座番号がサーバ記憶部１９に記憶されているか否かを判定する。判定方法としては、前記ステップＳ４０２で検索したレコードのフィールド「カード固有情報」のフィールド値と前記ステップＳ４０１で取得したカード固有情報とが一致するか否かを判定する方法を採用できる。そして、サーバ制御部２０は、検索したレコードのフィールド「カード固有情報」のフィールド値と取得したカード固有情報とが一致すると判定した場合には（Ｙｅｓ）、現金自動預払機５から送信されたカード固有情報および口座番号がカードサーバ記憶部１９に記憶されていると判定し、ステップＳ４０４に移行する。一方、サーバ制御部２０は、サーバ制御部２０は、検索したレコードのフィールド「カード固有情報」のフィールド値と取得したカード固有情報とが一致しないと判定した場合には（Ｎｏ）、現金自動預払機５から送信されたカード固有情報および口座番号がカードサーバ記憶部１９に記憶されていないと判定し、ステップＳ４０５に移行する。
【００４６】
前記ステップＳ４０４では、サーバ制御部２０は、通信部１８および通信網６を介して、取引許可信号を現金自動預払機５に送信した後、この演算処理を終了する。これにより、現金自動預払機５は、取引処理を実行する。
一方、前記ステップＳ４０５では、管理サーバ４は、通信部１８および通信網６を介して、取引不許可信号を現金自動預払機５に送信する。これにより、現金自動預払機５は、取引処理の実行を禁止する。
【００４７】
続いてステップＳ４０６に移行して、サーバ制御部２０は、通信部１８および通信網６を介して、ログ登録信号を現金自動預払機５から受信する。なお、サーバ制御部２０は、現金自動預払機５からログ登録信号が送信されていない場合には、ログ登録信号が送信されるまで待機する。
続いてステップＳ４０７に移行して、サーバ制御部２０は、前記ステップＳ４０１で取得したカード固有情報を不正ログとしてサーバ記憶部１９に書き込んだ後、この演算処理を終了する。
【００４８】
以上、本実施形態では、口座番号が設定情報を構成する。以下同様に、図１のＩＣキャッシュカード２がＩＣカードを構成する。また、図１のカード発行機３が固有情報取得端末を構成する。さらに、図１の管理サーバ４が管理サーバを構成する。また、図３の情報読出部１４、発行機制御部１６、図７のステップＳ１０１が固有情報読出部を構成する。さらに、図３の操作部１５、発行機制御部１６、図７のステップＳ１０１が設定情報取得部を構成する。また、図３の通信部１２、発行機制御部１７、図７のステップＳ１０２が情報送信部を構成する。さらに、図３の通信部１２、発行機制御部１７、図７のステップＳ１０３、Ｓ１０４、Ｓ１０５、Ｓ１０６がカード発行部を構成する。また、図４のサーバ記憶部１９、図８のステップＳ２０１、Ｓ２０２、Ｓ２０３がサーバ記憶部を構成する。さらに、図４の通信部１８、サーバ制御部２０、図８のステップＳ２０４がサーバ送信部を構成する。また、図３の操作部１５が再発行要求入力部を構成する。さらに、図４のサーバ制御部２０、図８のステップＳ２０２、Ｓ２０５、Ｓ２０６が固有情報書換部を構成する。
【００４９】
（動作、その他）
次に、本実施形態のカード管理システム１の動作を説明する。
まず、ＩＣキャッシュカード２を新規に発行する場合の動作について説明する。
図１１は、金融機関の職員、カード発行機３、および管理サーバ４の動作を示すシーケンス図である。
図１２は、ＩＣキャッシュカード２を新規発行する場合のＩＣキャッシュカード２、カード発行機３、および管理サーバ４における情報の流れを示す図である。
【００５０】
まず、図１１に示すように、金融機関の職員が、ＩＣキャッシュカード２を新規に発行するために、生カード２をカード発行機３に挿入したとする。生カード２とは、口座番号記憶部１０にカード口座番号が未だ記憶されていないＩＣキャッシュカード２である。続いて、金融機関の職員が、ログインＩＤ（例えば、「UserB」）、口座番号（例えば、「0001100300」）、および発行種別（例えば、「新規」）をカード発行機３に入力したとする。すると、カード発行機３が、生カード２からカード固有情報（例えば、「012345678901234」）を取得する（ステップＳ１０１）。また、カード発行機３が、ログインＩＤ「UserB」、口座番号「0001100300」、発行種別「新規」、および現在時刻（例えば、「10:15」）を取得する（ステップＳ１０１）。続いて、カード発行機３が、カード固有情報「012345678901234」、ログインＩＤ「UserB」、口座番号「0001100300」、発行種別「新規」、発行機番号「B001」、および現在時刻「10:15」を対応付けた一組のカード登録用データを管理サーバ４に送信する（ステップＳ１０２）。続いて、管理サーバ４が、カード発行機３からカード登録用データを受信する（ステップＳ２０１）。続いて、管理サーバ４が、受信したカード登録用データに含まれる発行種別が「新規」であると判定する（ステップＳ２０２、Ｙｅｓ）。続いて、管理サーバ４が、カード登録用データをカード管理データベースに登録する（ステップＳ２０３）。これにより、管理サーバ４が、図１２に示すように、カード登録用データに含まれる口座番号「0001100300」、カード固有情報「012345678901234」、ログインＩＤ「UserB」、発行機番号「B001」および発行時刻「10:15」を対応付けてカード管理データベースのレコードを１つ形成し、形成したレコードを追加・登録する。
【００５１】
続いて、図１１に戻り、管理サーバ４が、発行許可信号をカード発行機３に送信する（ステップＳ２０４）。続いて、カード発行機３が、管理サーバ４から発行許可信号を発行許可判定信号として受信する（ステップＳ１０３）。続いて、カード発行機３が、発行許可判定信号が発行許可信号であると判定する（ステップＳ１０４、Ｙｅｓ）。続いて、カード発行機３が、口座番号を生カード２に書き込む（ステップＳ１０５）。これにより、カード発行機３が、ＩＣキャッシュカード２を発行する。
【００５２】
このように、本実施形態のカード管理システム１では、管理サーバ４が、ＩＣキャッシュカード２に記憶されているカード固有情報と口座番号とを対応付けて記憶する。それゆえ、例えば、ＩＣキャッシュカード２の使用時には、ＩＣキャッシュカード２内のカード固有情報および口座番号を、管理サーバ４が記憶しているカード固有情報および口座番号と照合することで、ＩＣキャッシュカード２の正当性を判定することができる。
【００５３】
続いて、ＩＣキャッシュカード２を再発行する場合の手順について説明する。
図１３は、金融機関の職員、カード発行機３、および管理サーバ４の動作を示すシーケンス図である。
図１４は、ＩＣキャッシュカード２を再発行する場合のＩＣキャッシュカード２、カード発行機３、および管理サーバ４における情報の流れを示す図である。
【００５４】
まず、図１３に示すように、金融機関の職員が、ＩＣキャッシュカード２を再発行するために、生カード２をカード発行機３に挿入したとする。続いて、金融機関の職員が、ログインＩＤ（例えば、「UserB」）、口座番号（紛失等した、古いＩＣキャッシュカード２に書き込んでいた口座番号と同じもの。例えば、「0001100300」）、および発行種別（例えば、「再発行」）をカード発行機３に入力したとする。すると、カード発行機３が、生カード２からカード固有情報（例えば、「5869843102471546」）を取得する（ステップＳ１０１）。また、カード発行機３が、ログインＩＤ「UserB」、口座番号「0001100300」、発行種別「再発行」、および現在時刻（例えば、「20:15」）を取得する（ステップＳ１０１）。続いて、カード発行機３が、カード固有情報「5869843102471546」、ログインＩＤ「UserB」、口座番号「0001100300」、発行種別「再発行」、発行機番号「B001」、および現在時刻「20:55」を対応付けた一組のカード登録用データを管理サーバ４に送信する（ステップＳ１０２）。続いて、管理サーバ４が、カード発行機３からカード登録用データを受信する（ステップＳ２０１）。続いて、管理サーバ４が、受信したカード登録用データに含まれる発行種別が「再発行」であると判定する（ステップＳ２０２、Ｎｏ）。続いて、管理サーバ４が、カード管理データベースを構成する複数のレコードのうちに、受信した口座番号「0001100300」とフィールド「口座番号」のフィールド値が一致するレコード（一致レコード）が存在すると判定する（ステップＳ２０５、Ｙｅｓ）。続いて、管理サーバ４が、一致レコードのカード固有情報、ログインＩＤ、発行機番号、および発行時刻のフィールドのフィールド値を、受信したカード登録用データに含まれるカード固有情報「5869843102471546」、ログインＩＤ「UserB」、発行機番号「B001」、および発行時刻「20:55」で書き換える（ステップＳ２０６）。これにより、管理サーバ４が、図１２に示すように、カード登録用データに含まれる口座番号「0001100300」、カード固有情報「5869843102471546」、ログインＩＤ「UserB」、発行機番号「B001」および発行時刻「20:55」を対応付けてカード管理データベースのレコードを更新する。
【００５５】
続いて、図１４に戻り、管理サーバ４が、発行許可信号をカード発行機３に送信する（ステップＳ２０７）。続いて、カード発行機３が、管理サーバ４から発行許可信号を発行許可判定信号として受信する（ステップＳ１０３）。続いて、カード発行機３が、発行許可判定信号が発行許可信号であると判定する（ステップＳ１０４、Ｙｅｓ）。続いて、カード発行機３が、口座番号を生カード２に書き込む（ステップＳ１０５）。これにより、カード発行機３が、ＩＣキャッシュカード２を再発行する。
【００５６】
このように、本実施形態のカード管理システム１では、例えば、再発行要求が入力された場合に、管理サーバ４が、操作部１５で入力された口座番号に対応付けて記憶しているカード固有情報を書き換える。すなわち、管理サーバ４が、既に記憶されていたカード固有情報を消去し、新しいＩＣキャッシュカード２のカード固有情報を記憶する。それゆえ、管理サーバ４が、１つの口座番号に複数のカード固有情報を対応付けて記憶することを防止できる。そのため、例えば、１つの口座番号に対して、複数のＩＣキャッシュカード２が発行されることを防止できる。
【００５７】
一方、金融機関の職員が、口座番号として、古いＩＣキャッシュカード２に書き込んでいた口座番号（例えば、「0001100300」）と異なるもの（例えば、「9796869070」）を誤って入力したとする。すると、図１５に示すように、管理サーバ４が、カード管理データベースを構成する複数のレコードのうちに、受信した口座番号「9796869070」とフィールド「口座番号」のフィールド値「0001100300」とが一致するレコード（一致レコード）が存在しないと判定する（ステップＳ２０５、Ｎｏ）。続いて、管理サーバ４が、発行不許可信号をカード発行機３に送信する（ステップＳ２０８）。続いて、カード発行機３が、管理サーバ４から発行不許可信号を発行許可判定信号として受信する（ステップＳ１０３）。続いて、カード発行機３が、発行許可判定信号が発行不許可信号であると判定する（ステップＳ１０４、Ｎｏ）。続いて、カード発行機３が、ＩＣキャッシュカード２をリジェクトホッパーに排出する（ステップＳ１０６）。これにより、カード発行機３が、誤った口座番号によるＩＣキャッシュカード２の再発行を禁止する。
【００５８】
続いて、現金自動預払機５で取引処理を行う場合について説明する。
図１６は、預金者、現金自動預払機５、および管理サーバ４の動作を示すシーケンス図である。
図１７は、現金自動預払機５を操作する場合の現金自動預払機５、カード発行機３、および管理サーバ４における情報の流れを示す図である。
【００５９】
まず、図１６に示すように、預金者が、口座からの預金引き出し処理等の取引処理を行うために、正規カードを現金自動預払機５に挿入したとする。正規カードとは、正規な手続きによって発行されたＩＣキャッシュカード２であり、カード管理データベースに登録されているカード固有情報および口座番号を記憶しているＩＣキャッシュカード２である。すると、現金自動預払機５が、ＩＣキャッシュカード２からカード固有情報（例えば、「012345678901234」）および口座番号（例えば、「0001100300」）を取得する（ステップＳ３０１）。続いて、現金自動預払機５が、カード固有情報「012345678901234」および口座番号「0001100300」を管理サーバ４に送信する（ステップＳ３０２）。続いて、管理サーバ４が、現金自動預払機５からカード固有情報「012345678901234」および口座番号「0001100300」を受信する（ステップＳ４０１）。続いて、管理サーバ４が、図１７に示すように、カード管理データベースを構成する複数のレコードのうちから、受信した口座番号「0001100300」とフィールド「口座番号」のフィールド値が一致するレコードを検索する（ステップＳ４０２）。続いて、管理サーバ４が、検索したレコードのフィールド「カード固有情報」フィールド値「012345678901234」が、取得したカード固有情報「012345678901234」と一致したとする（ステップＳ４０３、Ｙｅｓ）。続いて、管理サーバ４が、取引許可信号を現金自動預払機５に送信する（ステップＳ４０４）。続いて、現金自動預払機５が、管理サーバ４から取引許可信号を取引許可判定信号として受信する（ステップＳ３０３）。続いて、現金自動預払機５が、取引許可判定信号が取引許可信号であると判定する（ステップＳ３０４、Ｙｅｓ）。続いて、現金自動預払機５が、ＩＣキャッシュカード２に記憶されている口座番号に対応する口座における取引処理の実行を許可する（ステップＳ３０５）。これにより、現金自動預払機５が、口座からの預金引き出し処理等の取引処理を実行する。
【００６０】
一方、悪意の人間が、ＩＣキャッシュカード２として、不正カードを現金自動預払機５に挿入したとする。不正カードとは、正規カードの口座番号と同一の口座番号が書き込まれたＩＣキャッシュカード２である。すると、図１８および図１９に示すように、管理サーバ４が、検索したレコードのフィールド「カード固有情報」フィールド値「012345678901234」が、取得したカード固有情報「4641346577312」と一致しないと判定する（ステップＳ４０３、Ｎｏ）。続いて、管理サーバ４が、取引許可信号を現金自動預払機５に送信する（ステップＳ４０４）。続いて、管理サーバ４が、取引不許可信号を現金自動預払機５に送信する（ステップＳ４０５）。続いて、現金自動預払機５が、管理サーバ４から取引不許可信号を取引許可判定信号として受信する（ステップＳ３０３）。続いて、現金自動預払機５が、取引許可判定信号が取引不許可信号であると判定する（ステップＳ３０４、Ｎｏ）。続いて、現金自動預払機５が、ＩＣキャッシュカード２に記憶されている口座番号に対応する口座における取引処理の実行を禁止する（ステップＳ３０５）。これにより、現金自動預払機５が、現金の引き出し処理等を実行を禁止する。
【００６１】
このように、本実施形態のカード管理システム１では、管理サーバ４が、ＩＣキャッシュカード２内のカード固有情報および口座番号を、管理サーバ４が記憶しているカード固有情報および口座番号と照合する。それゆえ、例えば、ＩＣキャッシュカード２の使用時には、ＩＣキャッシュカード２の正当性を判定することができる。
また、本実施形態のカード管理システム１では、現金自動預払機５が、ＩＣキャッシュカード２から読み出したカード固有情報と口座番号とが管理サーバ４に記憶されていない場合には、取引処理の実行を禁止できる。これにより、ＩＣキャッシュカード２の正当性が確認できない場合には、取引処理が実行されずに済む。
続いて、現金自動預払機５が、ログ登録信号を管理サーバ４に送信する。続いて、管理サーバ４が、カード固有情報を不正ログとしてサーバ記憶部１９に書き込む（ステップＳ４０７）。これにより、不正カードの情報を収集できる。
【００６２】
（応用例）
なお、本実施形態では、現金自動預払機５が、使用されたＩＣキャッシュカード２が不正カードであると判定した場合に、取引処理を中止する例を示したが（ステップＳ３０４、Ｓ３０５）、他の構成を採用してもよい。例えば、使用されたＩＣキャッシュカード２が不正カードであると判定した場合に、取引処理を制約する構成としてもよい。取引処理を制約する場合には、例えば、口座からの預金引き出し処理、および他の口座への振り込み処理等、口座の預金が減少する取引処理のみを禁止する構成としてもよい。
【００６３】
また、例えば、現金自動預払機５が、使用されたＩＣキャッシュカード２が不正カードであると判定した場合に、現金自動預払機５の使用者の静止画や動画等、使用者を特定可能な映像を撮影する構成としてもよい。映像を撮影する場合には、例えば、現金自動預払機５にユーザの顔画像の静止画または動画を撮影可能なＣＣＤ(Charge Coupled Device Image Sensor)カメラ等の撮影部を設け、現金自動預払機５が、管理サーバ４から取引不許可信号を受信した場合に、現金自動預払機５のユーザ、つまり、不正カードの使用者の顔画像の静止画または動画を撮像部で撮影する構成としてもよい。
【００６４】
また、本実施形態では、現金自動預払機５が、使用されたＩＣキャッシュカード２が不正カードであるか否かを常に判定する例を示したが、他の構成を採用してもよい。例えば、口座からの預金引き出し処理、および他の口座への振り込み処理等、口座の預金が減少する取引処理のときにのみそのような判定を実行する構成としてもよい。
さらに、本実施形態では、本発明を、現金自動預払機５を操作するためのＩＣキャッシュカード２の管理システムに適用する例を示したが、他の構成を採用してもよい。例えば、入退室管理やＰＣ(Personal Computer)認証等、セキュリティシステムを操作するためのＩＣカードの管理システムに適用する構成としてもよい。セキュリティシステムを操作するためのＩＣカードの管理システムに適用する場合には、ＩＣカードには、口座番号に代えて企業におけるＩＣカード保有者の社員番号を書き込む構成としてもよい。
【符号の説明】
【００６５】
１はカード管理システム
２はキャッシュカード
３はカード発行機
４は管理サーバ
５は現金自動預払機
６は通信網
７はＩＣチップ
８は通信部
９は固有情報記憶部
１０は口座番号記憶部
１１はチップ制御部
１２は通信部
１３はカード受付部
１４は固有情報読出部
１５は操作部
１６は発行機記憶部
１７は発行機制御部
１８は通信部
１９はサーバ記憶部
２０はサーバ制御部
２１は通信部
２２はカード受付部
２３は情報読出部
２４は預払機記憶部
２５は預払機制御部
【図１】
2013105437.tif 000003
【図２】
2013105437.tif 000004
【図３】
2013105437.tif 000005
【図４】
2013105437.tif 000006
【図５】
2013105437.tif 000007
【図６】
2013105437.tif 000008
【図７】
2013105437.tif 000009
【図８】
2013105437.tif 000010
【図９】
2013105437.tif 000011
【図１０】
2013105437.tif 000012
【図１１】
2013105437.tif 000013
【図１２】
2013105437.tif 000014
【図１３】
2013105437.tif 000015
【図１４】
2013105437.tif 000016
【図１５】
2013105437.tif 000017
【図１６】
2013105437.tif 000018
【図１７】
2013105437.tif 000019
【図１８】
2013105437.tif 000020
【図１９】
2013105437.tif 000021